(57)【特許請求の範囲】
【請求項１】
第１の位相変調方式で生成された第１の光信号および前記第１の位相変調方式よりも多値数の少ない第２の位相変調方式で生成された第２の光信号を含むＷＤＭ信号を受信する受信部と、
前記第１の光信号の波長チャネル当りのパワーを第１の目標レベルに減衰させ、前記第２の光信号の波長チャネル当りのパワーを前記第１の目標レベルよりも低い第２の目標レベルに減衰させる減衰部と、
前記減衰部により減衰された第１の光信号および第２の光信号を含むＷＤＭ信号を送信する送信部と、
を有する光伝送装置。
【請求項２】
前記送信部は、前記減衰部により減衰された第１の光信号および第２の光信号を含むＷＤＭ信号を増幅する光増幅器を含み、前記光増幅器により増幅されたＷＤＭ信号を送信する
ことを特徴とする請求項１に記載の光伝送装置。
【請求項３】
前記第１の光信号および前記第２の光信号のパワーをそれぞれモニタするモニタ部をさらに有し、
前記減衰部は、前記モニタ部によるモニタ結果に応じて、前記第１の光信号および前記第２の光信号に対する減衰量をそれぞれ制御する
ことを特徴とする請求項１に記載の光伝送装置。
【請求項４】
前記モニタ部は、前記減衰部から出力される第１の光信号および第２の光信号のパワーをモニタする
ことを特徴とする請求項３に記載の光伝送装置。
【請求項５】
前記減衰部は、前記モニタ部により検出される第１の光信号のパワーが前記第１の目標レベルに近づくように前記第１の光信号に対する減衰量を制御し、前記モニタ部により検出される第２の光信号のパワーが前記第２の目標レベルに近づくように前記第２の光信号に対する減衰量を制御する
ことを特徴とする請求項４に記載の光伝送装置。
【請求項６】
前記モニタ部は、前記送信部から出力される第１の光信号および第２の光信号のパワーをモニタする
ことを特徴とする請求項３に記載の光伝送装置。
【請求項７】
前記モニタ部は、前記受信部から出力される第１の光信号および第２の光信号のパワーをモニタする
ことを特徴とする請求項３に記載の光伝送装置。
【請求項８】
第１の位相変調方式で生成された第１の光信号の波長チャネル当りのパワーを第１の目標レベルに減衰させ、前記第１の位相変調方式よりも多値数の少ない第２の位相変調方式で生成された第２の光信号の波長チャネル当りのパワーを前記第１の目標レベルよりも低い第２の目標レベルに減衰させる減衰部と、
前記減衰部により減衰された第１の光信号および第２の光信号を含むＷＤＭ信号を送信する送信部と、
を有する光伝送装置。
【請求項９】
ＷＤＭ信号を伝送する複数の光伝送装置を含む光伝送システムであって、
各光伝送装置は、
ＷＤＭ信号を受信する受信部と、
前記受信部により受信されたＷＤＭ信号中の光信号を変調方式に応じて減衰させる減衰部と、
前記減衰部により減衰された光信号を含むＷＤＭ信号を送信する送信部と、を有し、
前記受信部により受信されたＷＤＭ信号中に第１の位相変調方式で生成された第１の光信号が含まれているときは、前記減衰部は、前記第１の光信号の波長チャネル当りのパワーを第１の目標レベルに減衰させ、
前記受信部により受信されたＷＤＭ信号中に前記第１の位相変調方式よりも多値数の少ない第２の位相変調方式で生成された第２の光信号が含まれているときは、前記減衰部は、前記第２の光信号の波長チャネル当りのパワーを前記第１の目標レベルよりも低い第２の目標レベルに減衰させる
ことを特徴とする光伝送システム。
【請求項１０】
前記第１の位相変調方式で生成される光信号の送信端から受信端までの伝送距離は、前記第２の位相変調方式で生成される光信号の送信端から受信端までの伝送距離よりも短い
ことを特徴とする請求項１に記載の光伝送装置。
【請求項１１】
前記第１の目標レベルは、前記第１の位相変調方式に応じて予め指定され、
前記第２の目標レベルは、前記第２の位相変調方式に応じて予め指定される
ことを特徴とする請求項１に記載の光伝送装置。
【発明の詳細な説明】
【技術分野】
【０００１】
本発明は、波長分割多重（ＷＤＭ：Wavelength Division Multiplexing）信号を伝送する光伝送装置および光伝送システムに係わる。
【背景技術】
【０００２】
長距離および大容量の光通信を実現するための技術の１つとして、ＷＤＭ伝送が実用化されている。ＷＤＭは、波長の異なる複数の光信号を伝送することができる。そして、近年では、異なる伝送方式（変調方式および／またはビットレート）の複数の光信号が多重化されたＷＤＭ信号を伝送する光伝送システムが提案されている。
【０００３】
ＷＤＭ信号を伝送する光伝送装置は、多くのケースにおいて、ＷＤＭ信号の各波長チャネルの送信光パワーを均一に制御する。すなわち、ＷＤＭ信号中の複数の光信号のパワーは、等化される。なお、伝送速度または伝送方式が異なる光信号が多重化されたシステムは、例えば、特許文献１、２に記載されている。
【先行技術文献】
【特許文献】
【０００４】
【特許文献１】特開２００１−３３３０１６号公報
【特許文献２】特開２００７−２３５４１２号公報
【発明の概要】
【発明が解決しようとする課題】
【０００５】
上述のように、異なる伝送方式の光信号が多重化されたＷＤＭ信号を伝送する光伝送システムが提案されている。ところが、品質劣化に対する耐力は、伝送方式に依存する。例えば、１シンボルで伝送されるビット数の少ない変調方式（ＢＰＳＫ、ＱＰＳＫ等）と比較して、１シンボルで伝送されるビット数の多い変調方式（１６ＱＡＭ、６４ＱＡＭ等）の光信号対雑音比（ＯＳＮＲ：Optical Signal-to-Noise Ratio）に対する耐力は小さい。
【０００６】
この問題は、例えば、ＷＤＭ信号の送信光パワーを大きくしてＯＳＮＲを改善することにより解決し得る。ところが、光伝送路の入力光パワーが大きくなると、光伝送路において生じる非線形光学効果（例えば、自己位相変調、相互位相変調など）に起因するペナルティも大きくなる。このため、ＷＤＭ信号の送信光パワーを一括して大きくすると、非線形光学効果による品質の劣化（以下、「非線形ペナルティ」と呼ぶことがある）が発生する。すなわち、従来の技術では、異なる変調方式の複数の光信号が混在するＷＤＭ伝送システムにおいて、光信号対雑音比および非線形ペナルティについてトレードオフが発生する。
【０００７】
本発明の１つの側面に係わる目的は、異なる変調方式の光信号が混在するＷＤＭ伝送システムにおいて、各変調方式の光信号の品質劣化を抑制することである。
【課題を解決するための手段】
【０００８】
本発明の１つの態様の光伝送装置は、第１の変調方式で生成された第１の光信号および前記第１の変調方式よりも多値数の少ない第２の変調方式で生成された第２の光信号を含むＷＤＭ信号を受信する受信部と、前記第１の光信号のパワーを第１の目標レベルに減衰させ、前記第２の光信号のパワーを前記第１の目標レベルよりも低い第２の目標レベルに減衰させる減衰部と、前記減衰部により減衰された第１の光信号および第２の光信号を含むＷＤＭ信号を送信する送信部と、を有する。
【発明の効果】
【０００９】
上述の態様によれば、異なる変調方式の光信号が混在するＷＤＭ伝送システムにおいて、各変調方式の光信号の品質劣化を抑制することができる。
【図面の簡単な説明】
【００１０】
【図１】光伝送システムの一例を示す図である。
【図２】第１の実施形態の光伝送装置の構成を示す図である。
【図３】伝送方式情報の一例を示す図である。
【図４】送信部の一例を示す図である。
【図５】減衰部の一例を示す図である。
【図６】光信号のパワーを制御するポリシの一例を示す図である。
【図７】光信号のパワーを制御する処理を示すフローチャートである。
【図８】第２の実施形態の光伝送装置の構成を示す図である。
【図９】第３の実施形態の光伝送装置の構成を示す図である。
【図１０】第４の実施形態の光伝送装置の構成を示す図である。
【図１１】第５の実施形態の光伝送装置の構成を示す図である。
【図１２】第６の実施形態の光伝送装置の構成を示す図である。
【図１３】第７の実施形態の光伝送装置の構成を示す図である。
【図１４】波長選択スイッチの動作の一例を示す図である。
【図１５】光信号のパワーを等化する構成による伝送の例を示す図である。
【図１６】変調方式ごとに光信号のパワーを制御する構成による伝送の一例を示す図である。
【発明を実施するための形態】
【００１１】
図１は、本発明の実施形態に係わる光伝送装置が使用される光伝送システムの一例を示す。図１に示す実施例では、光伝送システム１は、複数のノードＡ〜Ｆを有する。複数のノードＡ〜Ｆは、光ファイバ伝送路により接続されている。
【００１２】
各ノードには、それぞれ光伝送装置が設けられている。以下の記載では、ノードＡ〜Ｆに設けられている光伝送装置をそれぞれ光伝送装置Ａ〜Ｆと呼ぶことがある。光伝送装置は、ＷＤＭ信号を伝送する。なお、光伝送装置は、例えば、光分岐挿入装置（ＲＯＡＤＭ：Reconfigurable Optical Add/Drop Multiplexer）により実現される。
【００１３】
光伝送装置Ａには、送信器２ａおよび送信器２ｂが収容されている。光伝送装置Ｆには、受信器３ａが収容されている。光伝送装置Ｃには、受信器３ｂが収容されている。そして、送信器２ａは、光信号Ａを生成する。光信号Ａの宛先は、光伝送装置Ｆに収容されている受信器３ａである。また、送信器２ｂは、光信号Ｂを生成する。光信号Ｂの宛先は、光伝送装置Ｃに収容されている受信器３ｂである。
【００１４】
ネットワーク管理システム（ＮＭＳ）４は、光伝送システム１の運用を管理する。例えば、ネットワーク管理システム４は、クライアントからの要求に応じてノード間にパスを設定する。このとき、ネットワーク管理システム４は、光信号の経路、波長、変調方式などを決定し、対応するノードに通知する。変調方式は、例えば、データ速度および光信号の伝送距離に応じて決定される。「伝送距離」は、この明細書では、光信号の送信端から受信端までの伝送距離を表すものとする。「送信端から受信端までの伝送距離」は、光信号を送信する送信器からその光信号を受信する受信器までの伝送距離を表す。この場合、例えば、光信号Ａの伝送距離は、送信器２ａからノードＡ、Ｂ、Ｃ、Ｄ、Ｅ、Ｆを介して受信器３ａへ至る経路の伝送距離を表す。或いは、「送信端から受信端までの伝送距離」は、送信器を収容する光伝送装置から受信器を収容する光伝送装置までの伝送距離を表してもよい。この場合、光信号Ａの伝送距離は、ノードＡからノードＢ、Ｃ、Ｄ、Ｅを介してノードＦへ至る経路の伝送距離を表す。
【００１５】
光信号の伝送距離が長いと、その光信号の品質は劣化する。例えば、光信号の伝送距離が長いと、受信器において、その光信号のＯＳＮＲは低下する。他方、品質劣化に対する耐力は、変調方式に依存する。例えば、１シンボルで伝送されるビット数の少ない変調方式（ＢＰＳＫ、ＱＰＳＫ等）と比較して、１シンボルで伝送されるビット数の多い変調方式（１６ＱＡＭ、６４ＱＡＭ等）のＯＳＮＲに対する耐力は小さい。なお、以下の記載では、１シンボルで伝送されるビット数を「多値数（または、変調多値数）」と呼ぶことがある。
【００１６】
このため、ネットワーク管理システム４は、伝送距離の長い光パスに対しては、ビットエラーを抑制するために、多値数の少ない変調方式を割り当てる。図１に示す例では、光信号Ａは、ＱＰＳＫ変調光信号である。一方、ネットワーク管理システム４は、伝送距離の短い光パスに対しては、伝送容量を大きくするために、多値数の多い変調方式を割り当てる。図１に示す例では、光信号Ｂは、１６ＱＡＭ変調光信号である。
【００１７】
上記構成の光伝送システム１において、光信号Ａおよび光信号Ｂは、ＷＤＭ信号中に多重化されて伝送される。各ノードに設けられている光伝送装置は、ネットワーク管理システム４からの制御の下で、ＷＤＭ信号から所望の光信号を抽出できる。例えば、光伝送装置Ｃは、ＷＤＭ信号から光信号Ｂを抽出して受信器３ｂに導いている。また、各ノードに設けられている光伝送装置は、ネットワーク管理システム４からの制御の下で、ＷＤＭ信号に光信号を挿入できる。
【００１８】
各ノードに設けられている光伝送装置は、ＷＤＭ信号に多重化されている各光信号のパワーを調整する。このとき、光伝送装置は、ＷＤＭ信号中の複数の光信号のパワーが均一になるように等化を行うようにしてもよい。ただし、ある１つの変調方式を基準としてすべての光信号のパワーが均一になるように等化を行うと、他の変調方式の光信号の品質が劣化することがある。
【００１９】
例えば、図１に示す光伝送システム１において、ＱＰＳＫ信号の受信ＯＳＮＲがＱＰＳＫのＯＳＮＲ耐力を満足するようにＷＤＭ信号が等化されるものとする。ここで、ＱＰＳＫと比較して、１６ＱＡＭのＯＳＮＲ耐力は低い。このため、ＱＰＳＫを基準としてＷＤＭ信号を等化すると、受信器３ｂにおいて、１６ＱＡＭ信号の受信ＯＳＮＲが１６ＱＡＭのＯＳＮＲ耐力よりも低くなるおそれがある。
【００２０】
この問題は、ＷＤＭ信号の等化レベルを高くすることにより解決し得る。すなわち、ＷＤＭ信号中の各光信号の送信パワーを高くすることにより上述の問題は解決し得る。この場合、１６ＱＡＭ信号の受信ＯＳＮＲが１６ＱＡＭのＯＳＮＲ耐力を満足するようにＷＤＭ信号が等化される。ところが、光ファイバ伝送路への入力光パワーが大きくなると、光ファイバ伝送路において生じる非線形光学効果（例えば、自己位相変調効果、相互位相変調効果など）に起因するペナルティも大きくなる。また、光信号が光ファイバ伝送路を伝搬するときに非線形光学効果は累積するので、伝送距離が長くなると、非線形光学効果に起因するペナルティも大きくなる。したがって、ＷＤＭ信号の等化レベルを高くすると、受信器３ａにおいて、ＱＰＳＫ信号に対する非線形光学効果に起因するペナルティが閾値を超えてしまうおそれがある。
【００２１】
このように、ＷＤＭ信号中に異なる変調方式の光信号が多重化されているときは、各ノードにおいてそのＷＤＭ信号を単純に等化すると、一部の光信号の品質が劣化することがある。そこで、本発明の実施形態に係わる光伝送システム１においては、各ノードに設けられている光伝送装置は、ＷＤＭ信号に多重化されている光信号のパワーを変調方式に応じて調整する。
【００２２】
＜第１の実施形態＞
図２は、本発明の第１の実施形態の光伝送装置の構成を示す。第１の実施形態の光伝送装置１０は、複数の光送信器１１（１１−１〜１１−ｎ）、合波器１２、減衰部１３、モニタ部１４、送信部１５を有する。
【００２３】
光送信器１１−１〜１１−ｎは、互いに異なる波長の光信号を生成する。以下の記載では、光送信器１１−１〜１１−ｎにより生成される光信号を光信号λ１〜λｎと呼ぶことがある。各光送信器１１は、光変調器を含み、送信データに基づいて変調光信号を生成する。また、各光送信器１１は、指定された変調方式で変調光信号を生成できる。変調方式は、例えば、ネットワーク管理システム４により指定される。合波器１２は、光送信器１１−１〜１１−ｎにより生成される光信号λ１〜λｎを合波してＷＤＭ信号を生成する。
【００２４】
減衰部１３は、合波器１２により生成されるＷＤＭ信号に含まれている光信号λ１〜λｎのパワーをそれぞれ調整する。このとき、減衰部１３は、伝送方式情報に基づいて、光信号λ１〜λｎのパワーをそれぞれ調整する。伝送方式情報は、図３に示すように、各波長チャネルにより伝送される光信号の変調方式およびビットレートを表す。図３に示す例では、例えば、波長チャネルλ１により伝送される光信号（即ち、光信号λ１）の変調方式およびビットレートは、それぞれ「ＱＰＳＫ」および「100Gbps」である。また、波長チャネルλ３により伝送される光信号（即ち、光信号λ３）の変調方式およびビットレートは、それぞれ「１６ＱＡＭ」および「200Gbps」である。伝送方式情報は、例えば、図２に示すように、各光送信器１１から減衰部１３に通知される。ただし、本発明は、この構成に限定されるものではない。例えば、光伝送装置１０がネットワーク管理システム４から伝送方式情報を受信するときは、ネットワーク管理システム４から受信する伝送方式情報が減衰部１３に与えられるようにしてもよい。
【００２５】
モニタ部１４は、減衰部１３から出力されるＷＤＭ信号に含まれている光信号λ１〜λｎのパワーをそれぞれモニタする。そして、モニタ部１４は、モニタ結果を表す光レベル情報を減衰部１３に通知する。そうすると、減衰部１３は、モニタ部１４によるモニタ結果を利用して、光信号λ１〜λｎのパワーをそれぞれ目標レベルに近づける。
【００２６】
送信部１５は、予め指定されている目標利得で減衰部１３から出力されるＷＤＭ信号を増幅する。このとき、ＷＤＭ信号に含まれている光信号λ１〜λｎは、同じ利得で一括して増幅される。送信部１５から出力されるＷＤＭ信号は、光ファイバ伝送路１６を介して次ノードへ伝送される。
【００２７】
図４は、送信部１５の一例を示す。送信部１５は、図４に示すように、入力モニタ１５ａ、光増幅器１５ｂ、出力モニタ１５ｃ、制御部１５ｄを含む。入力モニタ１５ａは、ＷＤＭ信号の総パワーをモニタする。入力モニタ１５ａによるモニタ結果を表すル入力パワーモニタ情報は、制御部１５ｄに与えられる。光増幅器１５ｂは、制御部１５ｄから与えられる利得指示に従ってＷＤＭ信号を増幅する。出力モニタ１５ｃは、光増幅器１５ｂにより増幅されたＷＤＭ信号の総パワーをモニタする。出力モニタ１５ｃによるモニタ結果を表す出力パワーモニタ情報も、制御部１５ｄに与えられる。制御部１５ｄは、入力パワーモニタ情報および出力パワーモニタ情報に基づいて光増幅器１５ｂの利得を検出する。そして、制御部１５ｄは、検出した利得が目標利得に近づくように、光増幅器１５ｂに対して利得指示を与える。したがって、送信部１５は、予め指定されている目標利得でＷＤＭ信号を増幅することができる。
【００２８】
上記構成の光伝送装置１０により生成されるＷＤＭ信号は、次のノードへ送信される。例えば、ノードＡに設けられている光伝送装置１０により生成されるＷＤＭ信号は、ノードＢへ送信される。なお、図２に示す実施例では、光伝送装置１０は光送信器１１を含んでいるが、光送信器１１は、光伝送装置１０の外部に設けられていてもよい。
【００２９】
図５は、減衰部１３の一例を示す。減衰部１３は、逆多重化器２１、複数の可変減衰器（ＶＡＴＴ）２２−１〜２２−ｎ、多重化器２３、コントローラ２４を含む。逆多重化器２１は、入力ＷＤＭ信号を波長ごとに分波する。逆多重化器２１により生成される光信号λ１〜λｎは、それぞれ可変減衰器２２−１〜２２−ｎに導かれる。可変減衰器２２−１〜２２−ｎは、コントローラ２４から与えられる減衰指示に従って、光信号λ１〜λｎをそれぞれ減衰させる。多重化器２３は、可変減衰器２２−１〜２２−ｎによりそれぞれ減衰された光信号λ１〜λｎを合波して出力ＷＤＭ信号を生成する。コントローラ２４は、伝送方式情報に基づいて各可変減衰器２２−１〜２２−ｎを制御する。例えば、コントローラ２４は、各可変減衰器２２−１〜２２−ｎの減衰量を指示する減衰指示を生成する。このとき、コントローラ２４は、モニタ部１４から与えられる光レベル情報を参照して減衰指示を生成する。
【００３０】
コントローラ２４は、例えば、プロセッサおよびメモリを含むプロセッサシステムで実現することができる。また、コントローラ２４は、ハードウェア回路で実現してもよい。或いは、コントローラ２４は、ソフトウェアおよびハードウェア回路の組合せで実現してもよい。
【００３１】
減衰部１３は、予め決められたポリシに従って各光信号のパワーを制御する。この実施例では、減衰部１３は、図６に示すポリシに従って各光信号のパワーを制御する。パワー制御ポリシは、伝送方式ごとに出力パワーの目標値を表している。
【００３２】
例えば、伝送方式Ａ（ＢＰＳＫ：50Gbps）に対しては、送信部１５の出力パワーの目標値として「-16dBm/ch」が指定されている。ここで、この実施例では、送信部１５の利得が「5dB/ch」であるものとする。したがって、伝送方式Ａ（ＢＰＳＫ：50Gbps）に対して、減衰部１３の出力パワーの目標値として「-21dBm/ch」が指定されている。これに加えて、伝送方式Ｂ（ＱＰＳＫ：100Gbps）、伝送方式Ｃ（８ＰＳＫ：150Gbps）、伝送方式Ｄ（１６ＱＡＭ：200Gbps）に対しても、それぞれ送信部１５の出力パワーの目標値および減衰部１３の出力パワーの目標値が指定されている。
【００３３】
尚、図６に示す実施例では、４つの伝送方式に対して目標パワーが指定されているが、他の伝送方式に対してポリシを指定してもよい。例えば、６４ＱＡＭ、２５６ＱＡＭなどに対してポリシを指定してもよい。或いは、偏波多重光信号に対してポリシを指定してもよい。また、図６に示す実施例では、変調方式およびビットレートが一意に対応しているが、変調方式およびビットレートは一意に対応していなくてもよい。例えば、ＱＰＳＫを利用して100Gbpsを伝送する光信号、およびＱＰＳＫを利用して50Gbpsを伝送する光信号が混在していてもよい。
【００３４】
このように、各光信号の出力パワーの目標値（送信部１５の出力パワーの目標値および減衰部１３の出力パワーの目標値を含む）は、変調方式に応じて指定されている。具体的には、変調方式の多値数が少ないほど出力パワーの目標値は低く、変調方式の多値数が多いいほど出力パワーの目標値は高い。すなわち、多値数の少ない変調方式と比較して、多値数の多い変調方式の出力パワーの目標値は高くなる。換言すれば、多値数の多い変調方式と比較して、多値数の少ない変調方式の出力パワーの目標値は低くなる。例えば、ＱＰＳＫを基準とすると、ＢＰＳＫの出力パワーの目標値は1dBだけ低くなり、８ＰＳＫの出力パワーの目標値は1dBだけ高くなり、１６ＱＡＭの出力パワーの目標値は2dBだけ高くなる。
【００３５】
図７は、光信号のパワーを制御する処理を示すフローチャートである。このフローチャートの処理は、例えば、光伝送装置が通信を開始するときに実行される。また、このフローチャートの処理は、光伝送システム１において光パスが追加または変更されたときにも実行される。或いは、光伝送装置は、ネットワーク管理者またはネットワーク管理システム４からの指示に応じて図７に示すフローチャートの処理を実行してもよい。
【００３６】
減衰器１３のコントローラ２４は、ＷＤＭ信号の各波長チャネルに対してＳ１〜Ｓ８の処理を実行する。すなわち、各波長λ１〜λｎに対してＳ１〜Ｓ８の処理が実行される。
【００３７】
Ｓ１において、コントローラ２４は、伝送方式情報を取得する。伝送方式情報は、図３に示すように、波長チャネルごとに変調方式およびビットレートを表す。ただし、この実施例では、コントローラ２４は、伝送方式情報のなかの「変調方式」に基づいて減衰量を制御する。
【００３８】
Ｓ２において、コントローラ２４は、取得した伝送方式情報に基づいて、処理対象の波長チャネルの変調方式を特定する。この実施例では、波長チャネルの変調方式が、ＢＰＳＫ、ＱＰＳＫ、８ＰＳＫ、１６ＱＡＭのいずれであるのかが判定される。
【００３９】
変調方式がＢＰＳＫであるときは、コントローラ２４は、Ｓ３において、減衰部１３から出力される光信号のパワーがＢＰＳＫに対して指定されている目標値に近づくように、対応する可変減衰器の減衰量を算出する。ＢＰＳＫに対しては、図６を参照して説明したように、減衰部１３の出力レベルの目標値として「-21dBm/ch」が指定されている。よって、コントローラ２４は、減衰部１３から出力される光信号のパワーが-21dBmに近づくように、対応する可変減衰器の減衰量を算出する。
【００４０】
変調方式がＱＰＳＫであるときは、コントローラ２４は、Ｓ４において、減衰部１３から出力される光信号のパワーがＱＰＳＫに対して指定されている目標値（-20dBm/ch）に近づくように、対応する可変減衰器の減衰量を算出する。変調方式が８ＰＳＫであるときは、コントローラ２４は、Ｓ５において、減衰部１３から出力される光信号のパワーが８ＰＳＫに対して指定されている目標値（-19dBm/ch）に近づくように、対応する可変減衰器の減衰量を算出する。変調方式が１６ＱＡＭあるときは、コントローラ２４は、Ｓ６において、減衰部１３から出力される光信号のパワーが１６ＱＡＭに対して指定されている目標値（-18dBm/ch）に近づくように、対応する可変減衰器の減衰量を算出する。
【００４１】
そして、コントローラ２４は、Ｓ３〜Ｓ６のいずれか１つにおいて算出した減衰量を表す減衰指示を対応する可変減衰器に与える。そうすると、可変減衰器は、その減衰指示に従って減衰量を制御する。したがって、減衰部１３から出力される光信号のパワーは、変調方式に対応する目標値に近づくことになる。
【００４２】
Ｓ７において、コントローラ２４は、上述のようにして光信号のパワーを制御した後、モニタ部１４から光レベル情報を取得する。そして、コントローラ２４は、モニタ部１４によりモニタされた光パワーと目標値との間の誤差を検出する。ここで、この誤差が所定の閾値（例えば、0.1dB）よりも大きければ、コントローラ２４の処理はＳ１に戻る。したがって、Ｓ１〜Ｓ８の処理を繰り返し実行することにより、減衰部１３から出力される光信号のパワーは、変調方式に対応する目標値に調整される。
【００４３】
Ｓ８において誤差が閾値以下であれば、コントローラ２４は、次の波長チャネルを選択してＳ１〜Ｓ８の処理を実行する。即ち、次の波長チャネルの光パワーが調整される。そして、すべての波長チャネルについて減衰部１３による光パワーの調整が終了すると、光伝送装置１０の処理はＳ９へ進む。
【００４４】
Ｓ９において、送信部１５の制御部１５ｄは、光増幅器１５ｂの利得を制御する。このとき、制御部１５ｄは、図４を参照しながら説明したように、予め指定されている目標利得でＷＤＭ信号が増幅されるように光増幅器１５ｂを制御する。そして、送信部１５は、Ｓ１０において、光増幅器１５ｂにより増幅されたＷＤＭ信号を光ファイバ伝送路１６へ出力する。
【００４５】
例えば、図３に示す波長チャネルλ１の光パワーが制御されるときは、コントローラ２４は、伝送方式情報を参照することにより、光信号の変調方式がＱＰＳＫであることを特定する。そうすると、コントローラ２４は、Ｓ４において、可変減衰器２２−１を制御することにより、減衰部１３から出力される光信号λ１のパワーを-20dBmに調整する。具体的には、モニタ部１４により検出される光信号λ１のパワーが-20dBmに調整されるように、コントローラ２４は、可変減衰器２２−１の減衰量を制御する。
【００４６】
図３に示す波長チャネルλ３の光パワーが制御されるときには、コントローラ２４は、伝送方式情報を参照することにより、光信号の変調方式が１６ＱＡＭであることを特定する。そうすると、コントローラ２４は、Ｓ６において、可変減衰器２２−３を制御することにより、減衰部１３から出力される光信号λ３のパワーを-18dBmに調整する。すなわち、モニタ部１４により検出される光信号λ３のパワーが-18dBmに調整されるように、コントローラ２４は、可変減衰器２２−３の減衰量を制御する。
【００４７】
光増幅器１５ｂの目標利得は、この実施例では、多値数の少ない変調方式（例えば、ＱＰＳＫ）で生成される光信号を基準として設定される。この場合、次ノードにおけるＱＰＳＫ変調光信号のＯＳＮＲがＱＰＳＫのＯＳＮＲ耐力を満足するように目標利得が設定される。ここで、１６ＱＡＭ変調光信号の送信パワーは、ＱＰＳＫ変調光信号の送信パワーよりも高く調整される。したがって、次ノードにおける１６ＱＡＭ変調光信号のＯＳＮＲは、ＱＳＰＫのＯＳＮＲ耐力に対してマージンを有する。すなわち、次ノードにおける１６ＱＡＭ変調光信号のＯＳＮＲは、ＱＳＰＫのＯＳＮＲ耐力よりも厳しい１６ＱＡＭのＯＳＮＲ耐力を満足することができる。換言すれば、減衰部１３は、ＱＰＳＫ変調光信号のＯＳＮＲがＱＰＳＫのＯＳＮＲ耐力を満足し、１６ＱＡＭ変調光信号のＯＳＮＲが１６ＱＡＭのＯＳＮＲ耐力を満足するように、変調方式ごとに送信パワーを制御する。
【００４８】
このように、第１の実施形態においては、多値数の多い変調方式（たとえば、１６ＱＡＭ）の光信号と比較して、多値数の少ない変調方式（たとえば、ＱＰＳＫ）の光信号の送信パワーは低く調整される。換言すれば、多値数の少ない変調方式の光信号と比較して、多値数の多い変調方式の光信号の送信パワーは高く調整される。そして、ＷＤＭ信号中の各光信号の送信パワーをこのように制御することにより以下の効果が得られる。
【００４９】
多値数の多い変調方式と比較して、多値数の少ない変調方式のＯＳＮＲに対する耐力は大きい。このため、多値数の多い変調方式と比較して、多値数の少ない変調方式で生成される光信号は、伝送距離の長い光パスに適用される可能性が高い。ところが、光信号の伝送距離が長くなると、光ファイバ伝送路の非線形光学効果に起因するペナルティが劣化する。一方、光ファイバ伝送路の入力光パワーを小さくすれば、光ファイバ伝送路の非線形光学効果に起因するペナルティは抑制される。そこで、光伝送装置１０は、多値数の多い変調方式と比較して、多値数の少ない変調方式で生成される光信号の送信パワーを低くする。したがって、多値数の少ない変調方式で生成される光信号について、ＯＳＮＲ耐力の範囲内で、光ファイバ伝送路の非線形光学効果に起因するペナルティを抑制することができる。
【００５０】
一方、多値数の少ない変調方式と比較して、多値数の多い変調方式のＯＳＮＲに対する耐力は小さい。このため、多値数の少ない変調方式と比較して、多値数の多い変調方式で生成される光信号は、伝送距離の短い光パスに適用される可能性が高い。ここで、伝送距離が短いときは、光ファイバ伝送路の非線形光学効果に起因するペナルティは小さい。すなわち、多値数の多い変調方式で生成される光信号については、非線形光学効果に起因するペナルティは上限値に対してマージンを有しているので、送信パワーを大きくすることができる。そこで、光伝送装置１０は、多値数の少ない変調方式と比較して、多値数の多い変調方式で生成される光信号の送信パワーを高くする。したがって、多値数の多い変調方式で生成される光信号については、光ファイバ伝送路の非線形光学効果に起因するペナルティが抑制された状態で、ＯＳＮＲを改善することができる。
【００５１】
このように、伝送距離が短い光信号については、非線形ペナルティが小さいので、非線形効果を抑制するよりも、送信パワーを高くしてＯＳＮＲを改善することが好ましい。よって、伝送距離の短いパスを伝送される可能性の高い光信号（すなわち、多値数の多い光信号）は、減衰量を小さくして送信パワーを高くする。一方、伝送距離が長い光信号については、非線形ペナルティが大きいので、非線形効果を抑制するように送信パワーを制御することが好ましい。よって、伝送距離の長いパスを伝送される可能性の高い光信号（すなわち、多値数の少ない光信号）は、減衰量を大きくして送信パワーを低くする。
【００５２】
なお、ＷＤＭ信号中のすべての光信号のパワーを均一に等化する構成では、下記の問題が生じてしまう。
（１）多値数の少ない変調方式を基準としてＷＤＭ信号を等化すると、多値数の多い変調方式で生成される光信号のＯＳＮＲが要求レベルを満足できないことがある。
（２）多値数の多い変調方式を基準としてＷＤＭ信号を等化すると、多値数の少ない変調方式で生成される光信号の非線形ペナルティが要求レベルを満足できないことがある。
これに対して、本発明の実施形態の構成によれば、上述の問題を回避することが可能である。
【００５３】
なお、本発明の実施形態において、各変調方式の光信号の送信パワーの目標値は、例えば、以下のポリシに基づいて決定される。
（１）光信号の送信端から受信端までの光ファイバ伝送路の非線形光学効果に起因するペナルティが所定の閾値よりも小さい。
（２）光信号の受信端におけるＯＳＮＲが変調方式に対応するＯＳＮＲ耐力の範囲内である。
そして、これらのポリシを満足する目標値は、シミュレーションまたは実際の測定等に基づいて決定される。
【００５４】
＜第２の実施形態＞
図８は、本発明の第２の実施形態の光伝送装置の構成を示す。第２の実施形態の光伝送装置２０は、第１の実施形態と同様に、複数の光送信器１１（１１−１〜１１−ｎ）、合波器１２、減衰部１３、モニタ部１４、送信部１５を有する。ただし、モニタ部１４は、送信部１５から出力されるＷＤＭ信号に含まれている光信号λ１〜λｎのパワーをそれぞれモニタする。
【００５５】
減衰部１３の構成および動作は、第１および第２の実施形態においてほぼ同じである。ただし、第１の実施形態では減衰部１３から出力されるＷＤＭ信号中の各光信号のパワーが目標レベルに制御されるのに対して、第２の実施形態では、送信部１５から出力されるＷＤＭ信号中の各光信号のパワーが目標レベルに制御される。したがって、第２の実施形態において図７に示すフローチャートの処理が実行されるときは、Ｓ３〜Ｓ６の目標値が第１の実施形態と異なる。具体的には、第２の実施形態においては、図６に示すように、ＢＰＳＫ変調光信号の送信パワーは-16dBmに制御され、ＱＰＳＫ変調光信号の送信パワーは-15dBmに制御され、８ＰＳＫ変調光信号の送信パワーは-14dBmに制御され、１６ＱＡＭ変調光信号の送信パワーは-13dBmに制御される。
【００５６】
＜第３の実施形態＞
図９は、本発明の第３の実施形態の光伝送装置の構成を示す。第３の実施形態の光伝送装置３０は、図９に示すように、次ノードから受信する光レベル情報に基づいて、ＷＤＭ信号中の各光信号の送信パワーを制御する。すなわち、光伝送装置３０から送信されるＷＤＭ信号は、光ファイバ伝送路１６を介して伝送され、次ノードの光伝送装置の受信部３１により受信される。受信部３１は、受信ＷＤＭ信号を所定の利得で一括して増幅する光増幅器を有していてもよい。モニタ部３２は、受信部３１から出力されるＷＤＭ信号中の各光信号のパワーをモニタする。そして、モニタ部３２は、モニタ結果を表す光レベル情報を光伝送装置３０に通知する。このとき、モニタ部３２は、光ファイバ伝送路１６を介して光レベル情報を光伝送装置３０に送信することができる。ただし、モニタ部３２は、他の方法で光レベル情報を光伝送装置３０に送信してもよい。例えば、モニタ部３２は、ネットワーク管理システム４を介して光レベル情報を光伝送装置３０に通知してもよい。
【００５７】
第３の実施形態において図７に示すフローチャートの処理が実行されるときは、Ｓ３〜Ｓ６の目標値が第１および第２の実施形態とは異なる。第３の実施形態の目標値は、たとえば、送信部１５の出力レベルの目標値をベースにし、光ファイバ伝送路１６の損失および次ノードの受信部３１の利得を考慮して決定される。
【００５８】
＜第４の実施形態＞
図１０は、本発明の第４の実施形態の光伝送装置の構成を示す。第４の実施形態の光伝送装置４０は、減衰部１３、モニタ部１４、送信部１５、受信部４１を有する。減衰部１３、モニタ部１４、送信部１５の構成および動作は、第１および第４の実施形態においてほぼ同じである。ただし、第４の実施形態では、モニタ部１４は、受信部４１から出力されるＷＤＭ信号中の各光信号のパワーをモニタする。また、送信部１５から出力されるＷＤＭ信号は、光ファイバ伝送路４２を介して次ノードへ伝送される。
【００５９】
受信部４１は、光ファイバ伝送路４３を介してＷＤＭ信号を受信する。このＷＤＭ信号は、隣接ノードに設けられている光伝送装置から送信される。そして、受信部４１は、受信したＷＤＭ信号を所定の利得で増幅する。すなわち、受信ＷＤＭ信号中の各光信号は、同じ利得で増幅される。なお、受信部４１は、例えば、図４に示す送信部と同じ構成により実現される。
【００６０】
第４の実施形態では、ＷＤＭ信号中の各光信号の伝送方式を表す伝送方式情報は、例えば、ＷＤＭ信号中に設定される制御チャネル（ＳＶＣ：Supervisory Channel）を利用して伝送される。なお、制御チャネルには、予め指定された波長が割り当てられている。この場合、受信部４１は、受信ＷＤＭ信号から制御チャネルを分離し、その制御チャネルから伝送方式情報を抽出する機能を有する。そして、受信部４１は、受信ＷＤＭ信号から抽出した伝送方式情報を減衰部１３に与える。ただし、伝送方式情報は、他の方法で光伝送装置４０に通知されるようにしてもよい。例えば、ネットワーク管理システム４から各光伝送装置へ伝送方式情報が通知されるようにしてもよい。
【００６１】
減衰部１３は、受信部４１（或いは、ネットワーク管理システム４）から与えられる伝送方式情報およびモニタ部１４により生成される光レベル情報に基づいて、ＷＤＭ信号中の各光信号のパワーを制御する。このとき、減衰部１３のコントローラ２４は、減衰部１３から出力される光信号が変調方式に対応する目標レベルに近づくように可変減衰器２２−１〜２２−ｎを制御する。例えば、受信部４１により増幅されたＷＤＭ信号中の光信号λ１のパワーが-17.5dBmであったものとする。ここで、光信号λ１の送信パワーの目標値は、図６に示すように、-20dBmである。よって、この場合、コントローラ２４は、可変減衰器２２−１の減衰量を2.5dBに制御する。また、受信部４１により増幅されたＷＤＭ信号中の光信号λ３のパワーが-15.6dBmであったものとする。ここで、光信号λ３の送信パワーの目標値は、図６に示すように、-18dBmである。よって、この場合、コントローラ２４は、可変減衰器２２−３の減衰量を2.4dBに制御する。
【００６２】
なお、送信部１５から送信されるＷＤＭ信号中の各光信号の伝送方式情報は、次ノードに通知される。伝送方式情報は、例えば、ＷＤＭ信号中に設定される制御チャネルを利用して伝送される。この場合、送信部１５は、制御チャネルに伝送方式情報を設定する。
【００６３】
＜第５の実施形態＞
図１１は、本発明の第５の実施形態の光伝送装置５０の構成を示す。第５の実施形態では、伝送方式情報は、受信部４１により受信ＷＤＭ信号から抽出されて減衰部１３に与えられる。この構成は、第４の実施形態と同じである。また、モニタ部１４は、減衰部１３から出力されるＷＤＭ信号中の各光信号のパワーをモニタして光レベル情報を生成する。この構成は、第１の実施形態と同じである。よって、減衰部１３における減衰制御は、第１および第５の実施形態において実質的に同じである。
【００６４】
＜第６の実施形態＞
図１２は、本発明の第６の実施形態の光伝送装置６０の構成を示す。第６の実施形態では、伝送方式情報は、受信部４１により受信ＷＤＭ信号から抽出されて減衰部１３に与えられる。この構成は、第４の実施形態と同じである。また、モニタ部１４は、送信部１５から出力されるＷＤＭ信号中の各光信号のパワーをモニタして光レベル情報を生成する。この構成は、第２の実施形態と同じである。よって、減衰部１３における減衰制御は、第２および第６の実施形態において実質的に同じである。
【００６５】
＜第７の実施形態＞
図１３は、本発明の第７の実施形態の光伝送装置７０の構成を示す。第７の実施形態では、伝送方式情報は、受信部４１により受信ＷＤＭ信号から抽出されて減衰部１３に与えられる。この構成は、第４の実施形態と同じである。また、光レベル情報は、次ノードから通知される。この構成は、第３実施形態と同じである。よって、減衰部１３における減衰制御は、第３および第７の実施形態において実質的に同じである。
【００６６】
＜他の実施形態＞
上述した第１〜第７の実施形態の光伝送装置は、例えば、光分岐挿入装置（ＲＯＡＤＭ：Reconfigurable Optical Add/Drop Multiplexer）によって実現される。ＲＯＡＤＭは、受信ＷＤＭ信号から指定された波長チャネルの光信号を分岐してクライアイントに導くことができる。また、ＲＯＡＤＭは、クライアントにより生成される光信号をＷＤＭ信号に挿入することができる。さらに、ＲＯＡＤＭは、複数の方路を有するときは、指定された方路に指定された波長チャネルを含むＷＤＭ信号を出力することも可能である。これらの機能は、波長選択スイッチ（ＷＳＳ：Wavelength Selective Switch）を利用して実現される。そして、本発明の実施形態に係わる減衰部１３は、波長選択スイッチにより実現されるようにしてもよい。
【００６７】
図１４は、減衰部１３の機能を有する波長選択スイッチの動作の一例を示す。この例では、光信号λ１〜λｎが多重化されたＷＤＭ信号が波長選択スイッチ５１に入力される。光信号λ１、λ２、λ４、λｎは、１６ＱＡＭ変調光信号である。光信号λ３、λ５は、ＱＰＳＫ変調光信号である。そして、光信号λ１、λ３、λ４は方路１へ出力され、光信号２１、λ５は方路２へ出力され、光信号λｎは方路ｍへ出力される。
【００６８】
波長選択スイッチ５１は、図５に示す逆多重化器２１、複数の可変減衰器２２−１〜２２−ｎ、コントローラ２４を含む。また、波長選択スイッチ５１は、例えば、可変減衰器２２−１〜２２−ｎから出力される光信号を指定された方路に導く光クロスコネクトを有する。そして、波長選択スイッチ５１は、上述した伝送方式情報に応じて、各光λ１〜λｎのパワーを制御する。即ち、波長選択スイッチ５１は、光信号λ１、λ２、λ４、λｎの送信パワーを１６ＱＡＭに対して指定されている目標レベル１（例えば、-18dBm）に制御する。また、波長選択スイッチ５１は、光信号λ３、λ５の送信パワーをＱＰＳＫに対して指定されている目標レベル２（例えば、-20dBm）に制御する。
【００６９】
また、上述の実施例では、光信号の送信パワーは、その光信号の変調方式に応じて制御されるが、他の要素を考慮してもよい。例えば、光伝送装置は、変調方式だけでなくビットレートにも基づいて光信号の送信パワーを制御してもよい。この場合、ビットレートが高い光信号の送信パワーを高くし、ビットレートが低い光信号の送信パワーを低くしてもよい。一例として、光信号ｘ、ｙの変調方式がいずれもＱＰＳＫであるが、光信号ｘのビットレートが100Gbpsであり、光信号ｙのビットレートが50Gbpsであるものとする。この場合、光伝送装置は、光信号ｘの送信パワーを光信号ｙの送信パワーより高く制御するようにしてもよい。
【００７０】
ＷＤＭ信号を増幅する光増幅器は、減衰部１３の入力側または減衰器１３の出力側の一方のみに設けられるようにしてもよいし、減衰部１３の入力側および減衰器１３の出力側の双方に設けられるようにしてもよい。
【００７１】
第１〜第３の実施形態の光伝送装置は、光伝送装置に収容される光送信器により生成される光信号のパワーを制御する。一方、第４〜第７の実施形態の光伝送装置は、受信ＷＤＭ信号中の光信号のパワーを制御する。ただし、第１〜第３の実施形態と第４〜第７の実施形態とを任意に組み合わせてもよい。例えば、図２に示す第１の実施形態および図１１に示す第５の実施形態を組み合わせると、減衰部１３には、光伝送装置に収容される光送信器により生成される光信号および受信ＷＤＭ信号が入力される。すなわち、減衰部１３は、光伝送装置に収容される光送信器により生成される光信号のパワーおよび受信ＷＤＭ信号中の光信号のパワーを制御することができる。この構成は、例えば、図１４に示す波長選択スイッチにより実現される。
【００７２】
＜効果＞
本発明の実施形態に係わる光伝送装置は、上述したように、ＷＤＭ信号中の各光信号の送信パワーを変調方式に応じて制御する。この構成による効果をＷＤＭ信号中の各光信号の送信パワーを均一に等化する構成と比較しながら説明する。
【００７３】
図１５（ａ）は、各ノードにおいて、ＱＰＳＫを基準としてＷＤＭ信号中のすべての光信号の送信パワーが等化される状態を示す。すなわち、ＱＰＳＫ変調光信号Ａおよび１６ＱＡＭ変調光信号Ｂは、いずれも、各ノードから-15dBmで送信される。この場合、ノードＣに収容される受信器３ｂにおいて、１６ＱＡＭ変調光信号ＢのＯＳＮＲが閾値（１６ＱＡＭのＯＳＮＲ耐力）よりも低くなるおそれがある。
【００７４】
図１５（ｂ）は、各ノードにおいて、１６ＱＡＭを基準としてＷＤＭ信号中のすべての光信号の送信パワーが等化される状態を示す。すなわち、ＱＰＳＫ変調光信号Ａおよび１６ＱＡＭ変調光信号Ｂは、いずれも、各ノードから-13dBmで送信される。この場合、ノードＦに収容される受信器３ａにおいて、ＱＰＳＫ変調光信号Ａの非線形ペナルティが大きくなってしまう。
【００７５】
図１６は、変調方式ごとに光信号のパワーを制御する構成による伝送の一例を示す。ここでは、各ノードにおいて、ＱＰＳＫ変調光信号Ａは-15dBmで送信され、１６ＱＡＭ変調光信号Ｂは-13dBmで送信される。そうすると、図１５（ａ）に示す状態と比較して、ノードＣに収容される受信器３ｂにおいて、１６ＱＡＭ変調光信号ＢのＯＳＮＲが改善する。また、図１５（ｂ）に示す状態と比較して、ノードＦに収容される受信器３ａにおいて、ＱＰＳＫ変調光信号Ａの非線形ペナルティが改善する。すなわち、多値数の少ない光信号の非線形ペナルティが抑制されるので、伝送距離の長いパスを伝送される可能性の高い光信号の品質が向上する。
【００７６】
以上記載した各実施例を含む実施形態に関し、さらに以下の付記を開示する。
（付記１）
第１の変調方式で生成された第１の光信号および前記第１の変調方式よりも多値数の少ない第２の変調方式で生成された第２の光信号を含むＷＤＭ信号を受信する受信部と、
前記第１の光信号のパワーを第１の目標レベルに減衰させ、前記第２の光信号のパワーを前記第１の目標レベルよりも低い第２の目標レベルに減衰させる減衰部と、
前記減衰部により減衰された第１の光信号および第２の光信号を含むＷＤＭ信号を送信する送信部と、
を有する光伝送装置。
（付記２）
前記送信部は、前記減衰部により減衰された第１の光信号および第２の光信号を含むＷＤＭ信号を増幅する光増幅器を含み、前記光増幅器により増幅されたＷＤＭ信号を送信する
ことを特徴とする付記１に記載の光伝送装置。
（付記３）
前記第１の光信号および前記第２の光信号のパワーをそれぞれモニタするモニタ部をさらに有し、
前記減衰部は、前記モニタ部によるモニタ結果に応じて、前記第１の光信号および前記第２の光信号に対する減衰量をそれぞれ制御する
ことを特徴とする付記１に記載の光伝送装置。
（付記４）
前記モニタ部は、前記減衰部から出力される第１の光信号および第２の光信号のパワーをモニタする
ことを特徴とする付記３に記載の光伝送装置。
（付記５）
前記減衰部は、前記モニタ部により検出される第１の光信号のパワーが前記第１の目標レベルに近づくように前記第１の光信号に対する減衰量を制御し、前記モニタ部により検出される第２の光信号のパワーが前記第２の目標レベルに近づくように前記第２の光信号に対する減衰量を制御する
ことを特徴とする付記４に記載の光伝送装置。
（付記６）
前記モニタ部は、前記送信部から出力される第１の光信号および第２の光信号のパワーをモニタする
ことを特徴とする付記３に記載の光伝送装置。
（付記７）
前記モニタ部は、前記受信部から出力される第１の光信号および第２の光信号のパワーをモニタする
ことを特徴とする付記３に記載の光伝送装置。
（付記８）
前記減衰部は、前記送信部から送信されるＷＤＭ信号を受信する光伝送装置から通知される、前記第１の光信号および前記第２の光信号のパワーを表す光レベル情報に基づいて、前記第１の光信号および前記第２の光信号に対する減衰量をそれぞれ制御する
ことを特徴とする付記１に記載の光伝送装置。
（付記９）
前記受信部は、前記受信部が受信するＷＤＭ信号中の各光信号の変調方式を表す伝送方式情報を抽出し、抽出した伝送方式情報を前記減衰部に与え、
前記減衰部は、前記伝送方式情報に基づいて前記第１の光信号および前記第２の光信号の変調方式を特定する
ことを特徴とする付記１〜８のいずれか１つに記載の光伝送装置。
（付記１０）
前記送信部は、前記送信部が送信するＷＤＭ信号中の各光信号の変調方式を表す伝送方式情報を次ノードへ送信する
ことを特徴とする付記１〜８のいずれか１つに記載の光伝送装置。
（付記１１）
前記第１の光信号の送信端から受信端までの伝送距離は、前記第２の光信号の送信端から受信端までの伝送距離よりも短い
ことを特徴とする付記１〜８のいずれか１つに記載の光伝送装置。
（付記１２）
第１の変調方式で生成された第１の光信号のパワーを第１の目標レベルに減衰させ、前記第１の変調方式よりも多値数の少ない第２の変調方式で生成された第２の光信号のパワーを前記第１の目標レベルよりも低い第２の目標レベルに減衰させる減衰部と、
前記減衰部により減衰された第１の光信号および第２の光信号を含むＷＤＭ信号を送信する送信部と、
を有する光伝送装置。
（付記１３）
ＷＤＭ信号を伝送する複数の光伝送装置を含む光伝送システムであって、
各光伝送装置は、
ＷＤＭ信号を受信する受信部と、
前記受信部により受信されたＷＤＭ信号中の光信号を変調方式に応じて減衰させる減衰部と、
前記減衰部により減衰された光信号を含むＷＤＭ信号を送信する送信部と、を有し、
前記受信部により受信されたＷＤＭ信号中に第１の変調方式で生成された第１の光信号が含まれているときは、前記減衰部は、前記第１の光信号のパワーを第１の目標レベルに減衰させ、
前記受信部により受信されたＷＤＭ信号中に前記第１の変調方式よりも多値数の少ない第２の変調方式で生成された第２の光信号が含まれているときは、前記減衰部は、前記第２の光信号のパワーを前記第１の目標レベルよりも低い第２の目標レベルに減衰させる
ことを特徴とする光伝送システム。
【符号の説明】
【００７７】
１  光伝送システム
４  ネットワーク管理システム
１０、２０、３０、４０、５０、６０、７０  光伝送装置
１１（１１−１〜１１−ｎ）  光送信器
１２  合波器
１３  減衰部
１４、３１  モニタ部
１５  送信部
１５ｂ  光増幅器
２２−１〜２２−ｎ  可変減衰器
２４  コントローラ
４１  受信部
５１  波長選択スイッチ（ＷＳＳ）
【図１】
0006557956.tif 000002
【図２】
0006557956.tif 000003
【図３】
0006557956.tif 000004
【図４】
0006557956.tif 000005
【図５】
0006557956.tif 000006
【図６】
0006557956.tif 000007
【図７】
0006557956.tif 000008
【図８】
0006557956.tif 000009
【図９】
0006557956.tif 000010
【図１０】
0006557956.tif 000011
【図１１】
0006557956.tif 000012
【図１２】
0006557956.tif 000013
【図１３】
0006557956.tif 000014
【図１４】
0006557956.tif 000015
【図１５】
0006557956.tif 000016
【図１６】
0006557956.tif 000017